(57)【要約】      （修正有）【課題】より丈夫なソフトタイプスーツケースを提供する。【解決手段】ＥＶＡ樹脂層を主要素とするスーツケース１０において、上面の４つのコーナーの内、少なくとも２つのコーナーを、コーナーパッド２６で覆って補強する。下面の４つのコーナーはキャスター２１で補強されるため、コーナーパッドで補強する必要はない。一般面よりコーナーの方が外力によるダメージを受けやすい。そこで、コーナーを補強することで、ソフトタイプスーツケースの剛性を高めるようにした。小規模な補強で、丈夫なソフトタイプスーツケースが得られる。【選択図】図１
0003213589.tif 000002
【実用新案登録請求の範囲】
【請求項１】
ＥＶＡ樹脂層を主要素とするケース本体と、ＥＶＡ樹脂層を主要素とするカバーと、前記ケース本体に前記カバーを開閉可能に連結するヒンジとを備えるスーツケースであって、
前記ケース本体の底面のコーナーにキャスターを備えると共に前記カバーの底面のコーナーにキャスターを備え、
前記ケース本体の上面のコーナーと前記カバーの上面のコーナーとの少なくとも一方に、前記コーナーを補強するコーナーパッドが付設されていることを特徴とするスーツケース。
【請求項２】
請求項１記載のスーツケースであって、
前記コーナーパッドは、前記カバーの上面のコーナーにのみ付設されていることを特徴とするスーツケース。
【請求項３】
請求項２記載のスーツケースであって、
前記コーナーパッドが取り付けられるコーナーを通るように、前記カバーのコーナーにカーボンファイバーフレームが埋設されていることを特徴とするスーツケース。
【請求項４】
請求項１記載のスーツケースであって、
前記ＥＶＡ樹脂層の層内又は前記ＥＶＡ樹脂層のケース内側の面に、金属ネット又はアラミド繊維ネットが、埋設又は付設されていることを特徴とするスーツケース。
【請求項５】
請求項１記載のスーツケースであって、
前記カバーに、このカバーより一回り小さな前ポケットを設け、
この前ポケットの主たる構成要素が、アラミド繊維布であることを特徴とするスーツケース。
【考案の詳細な説明】
【技術分野】
【０００１】
本考案は、ソフトタイプスーツケースに関する。
【背景技術】
【０００２】
スーツケースは、ハードケースとソフトケースに大別される。ソフトケースは、キャンバス（布地）を主要素とするものの他、ＥＶＡ（エチレン・酢酸ビニル共重合体）樹脂層を主要素とするものが知られている（例えば、特許文献１（請求項３）参照）。
【０００３】
特許文献１のスーツケースは、表層（第１層）としてのＰＶＣ樹脂層、第２層としてのＥＶＡ樹脂層、第３層としてのＰＰ樹脂プレート層からなる積層体で構成されている。
【０００４】
第２層のＥＶＡ樹脂層は、弾性体であるため、外から力が加わると、変形し、外力が除かれると元へ戻る。よって、ＥＶＡ樹脂層を主要素とするスーツケースは、ソフトケースと呼ばれる。以下、このようなスーツケースを、ソフトタイプスーツケースと呼ぶ。
【０００５】
ところで、外力が面で加わる場合は、上記した十分な復元が得られるが、外力が点で（局部的に）加わると、復元の程度が低下することが判明した。
復元の程度が低下すると、スーツケースが局部的に窪んでしまい、外観性が低下する。
すなわち、衣類等を収納するという、本来のスーツケースの機能は維持されているものの、外観が悪いため、スーツケース自体を、新品と交換する必要が生じ、経済的損失が大きい。
【０００６】
そこで、外力に対して、より丈夫なソフトタイプスーツケースが望まれる。
【先行技術文献】
【特許文献】
【０００７】
【特許文献１】特表２０１６−５０７３０９号公報
【考案の概要】
【考案が解決しようとする課題】
【０００８】
本考案は、より丈夫なソフトタイプスーツケースを提供することを課題とする。
【課題を解決するための手段】
【０００９】
本考案者らは、ソフトタイプスーツケースに加わる外力を、コーナーと、コーナーを除く一般面について比較検討した。結果、一般面には外力は面で作用するが、コーナーには点で外力が作用する。そこで、コーナーのみに補強を施すことで、課題が達成できることを見いだした。以上の知見に基づいて完成した考案は次の通りである。
【００１０】
請求項１に係る考案は、ＥＶＡ樹脂層を主要素とするケース本体と、ＥＶＡ樹脂層を主要素とするカバーと、前記ケース本体に前記カバーを開閉可能に連結するヒンジとを備えるスーツケースであって、
前記ケース本体の底面のコーナーにキャスターを備えると共に前記カバーの底面のコーナーにキャスターを備え、
前記ケース本体の上面のコーナーと前記カバーの上面のコーナーとの少なくとも一方に、前記コーナーを補強するコーナーパッドが付設されていることを特徴とする。
【００１１】
請求項２に係る考案は、請求項１記載のスーツケースであって、
前記コーナーパッドは、前記カバーの上面のコーナーにのみ付設されていることを特徴とする。
【００１２】
請求項３に係る考案は、請求項２記載のスーツケースであって、
前記コーナーパッドが取り付けられるコーナーを通るように、前記カバーのコーナーにカーボンファイバーフレームが埋設されていることを特徴とする。
【００１３】
請求項４に係る考案は、請求項１記載のスーツケースであって、
前記ＥＶＡ樹脂層の層内又は前記ＥＶＡ樹脂層のケース内側の面に、金属ネット又はアラミド繊維ネットが、埋設又は付設されていることを特徴とする。
【００１４】
請求項５に係る考案は、請求項１記載のスーツケースであって、
前記カバーに、このカバーより一回り小さな前ポケットを設け、
この前ポケットの主たる構成要素が、アラミド繊維布であることを特徴とする。
【考案の効果】
【００１５】
請求項１に係る考案では、底面のコーナーは、キャスターで保護される。そこで、上面のコーナーを保護することにした。
少ない個数のコーナーパッドで、スーツケースを補強することができる。コーナーを補強するだけであるから、ソフトケースの機能は維持される。
以上により、請求項１によれば、より丈夫なソフトタイプスーツケースが提供される。
【００１６】
請求項２に係る考案では、コーナーパッドを、カバーの上面のコーナーにのみに付設した。上面の４つのコーナーの全てにコーナーを設ける場合に比べて、請求項２ではコーナーパッドの必要数が２個で済む。コーナーパッドの数が少ないため、コーナーパッドの調達費用及び取付費用を低減することができる。
【００１７】
請求項３に係る考案では、コーナーパッドが取り付けられるコーナーを通るように、カバーのコーナーにカーボンファイバーフレームが埋設されている。カーボンファイバーフレームは弾性に富み復元性能が高い。コーナーパッドに外力が加わって、カバーが変形しても、外力が無くなると、カーボンファイバーフレームの復元作用で、カバーは元の形状に戻る。
【００１８】
請求項４に係る考案では、ＥＶＡ樹脂層に、金属ネット又はアラミド繊維ネットが、埋設又は付設されている。
金属ネット又はアラミド繊維ネットは、刃物の突き刺しを止める力はないが、刃の横引き防止する。よって、切り裂きが防止され、大きな防刃効果が期待される。
金属ネットは金属板よりも格段に軽い。また、アラミド繊維ネットは、アラミド繊維布に比較してアラミド繊維糸の所要量が格段に少ないため、アラミド繊維布より軽量で安価である。
【００１９】
請求項５に係る考案では、カバーに、前ポケットを備え、この前ポケットの主たる構成要素が、アラミド繊維布である。アラミド繊維布は、高価ではあるが、防刃効果に加えて、防弾効果が期待できる。
【００２０】
利用者が不測の事態に遭遇したときに、スーツケースの背後に隠れることで銃撃等に対処でき、頭に載せることで落下物に対処できる。
スーツケースを衣類等の収納の他、安全グッズに利用でき、スーツケースの用途を拡張することができる。
【図面の簡単な説明】
【００２１】
【図１】本考案に係るスーツケースの斜視図である。
【図２】ケース本体の断面図である。
【図３】ネットの概念図である。
【図４】コーナーの断面図である。
【図５】前ポケットの積層構造を説明する分解斜視図である。
【図６】変更例に係るケース本体の断面図である。
【図７】スーツケースの補強を説明する図である。
【考案を実施するための形態】
【００２２】
本考案の実施の形態を添付図に基づいて以下に説明する。
【実施例】
【００２３】
図１に示すように、スーツケース１０は、伸縮ハンドル１１を有するケース本体１２と、このケース本体１２の開口を閉じるカバー１３と、このカバー１３をケース本体１２に開閉可能に連結する第１布ヒンジ１４と、カバー１３とケース本体１２を接続する第１ファスナー１５と、カバー１３の前面に設けられカバー１３より一回り小さな前ポケット１６と、この前ポケット１６の下辺をカバー１３に連結する第２布ヒンジ１７と、前ポケット１６をカバー１３に接続する第２ファスナー１８とを備えている。
【００２４】
第１・第２布ヒンジ１４、１７を、金属製の蝶番に変更し、第１・第２ファスナー１５、１８を枠状フレーム及びロック装置に変更することは差し支えない。
【００２５】
ケース本体１２の下面のコーナーにキャスター２１を備え、カバー１３の下面のコーナーにキャスター２１を備える。キャスター２１は、コーナーカップ２２と、このコーナーカップ２２から下へ延びているコラム部２３と、このコラム部２３に回転自在に取付けた車輪２４とからなる。
【００２６】
ケース本体１２及びカバー１３の下面のコーナーは、コーナーカップ２２で、覆われ補強される。
また、カバー１３の上面の２つのコーナーは、コーナーパッド２６で覆われ補強されている。
【００２７】
この例では、ケース本体１２の上面の２つのコーナーは、コーナーパッド２６で補強されていないが、ケース本体１２の上面の２つのコーナーをも、コーナーパッド２６で補強することは差し支えない。
【００２８】
なお、スーツケース１０の上面の４つのコーナーを、各々コーナーパッド２６で補強することが望ましいが、部品節約を目的とする場合は、ケース本体１２の上面の２つのコーナー又はカバー１３の上面の２つのコーナーにコーナーパッド２６を配置する。
【００２９】
この場合、カバー１３側の２つのコーナーに、コーナーパッド２６を配置することが推奨される。
伸縮ハンドル１１が利用者側になるため、ケース本体１２の上面のコーナーに、仮に窪みがあっても、目立たない。
一方、カバー１３側のコーナーは、外側に位置するため目立つ。そこで、目立つ方のカバー１３の上面の２つのコーナーにコーナーパッド２６を被せることが推奨される。少ない部品数で大きな効果が発揮できる。
【００３０】
すなわち、下面に４つのコーナーを有し、上面に４つのコーナーを有する箱形のスーツケース１０において、下面の４つのコーナーはキャスター２１で補強し、上面の２つのコーナーだけにコーナーパッド２６を被せることにより、コーナーパッド２６の所要数を２個まで減らすことができた。
【００３１】
図２に示すように、ケース本体１２は、４ｍｍ〜６ｍｍ厚さのＥＶＡ（エチレン・酢酸ビニル共重合体）樹脂層３１の前面（図では右側の面）に、０．３ｍｍ〜１．０ｍｍ厚さの表皮３２を被せ、ＥＶＡ樹脂層３１の裏面に内布３３を貼り付けてなる。
【００３２】
表皮は、ＰＶＣ（塩化ビニルシート）又はＰＵ（ポリウレタンシート）が好適である。  ＰＶＣ（塩化ビニルシート）は、壁紙やクロス貼りのクロスとして活用される樹脂シートであり、凹凸模様を付けることができると共に、着色や綺麗な模様を施すことができる。ＰＶＣで外観面を構成することにより、スーツケース１０の外観性を高めることができる。
ただし、ＰＶＣは塩素基を含むため低温燃焼ではダイオキシンが発生する。ダイオキシンの発生を嫌う場合は、ＰＵ（ポリウレタンシート）を採用する。
【００３３】
更に好ましくは、ＥＶＡ樹脂層３１に、金属ネット３５を埋設する。金属ネット３５は、鋼線、ステンレス鋼線、チタン線を格子や菱形や亀甲模様状に編んだ網である。
図２の構造は、カバー１３にも適用される。
【００３４】
図３に示すように金属ネット３５は、網目に相当する空間部分３６が、金属ネット３５の大部分を占めるため、金属板に比較して格段に軽量となる。
仮に、図面手前からナイフ３７を奥へ突くと、ナイフ３７は容易に金属ネット３５を貫通する。しかし、ナイフ３７を横に引こうとすると、ナイフ３７が金属ネット３５に当たり、それ以上進まなくなる。よって、引き裂きが防止され、防犯機能が付与される。
【００３５】
なお、金属ネット３５は、アラミド繊維糸からなるアラミド繊維ネットであってもよい。アラミド繊維は、高価であるが、鋼より軽量であり、鋼の５倍の強度を有すると言われている。
【００３６】
図４はコーナーの断面図（ＰＶＣ樹脂層と内布は省略した。）であり、厚さが一定のＥＶＡ樹脂層３１を、プレス成形時に９０°曲げると、コーナー３８は引っ張られて、薄くなる。一般面３９に比較してコーナー３８は３０％前後薄肉になる。
コーナー３８は一般面３９に比較して局部的な外力の影響を受けやすい上に、肉が薄いため、窪んで元に戻らなくなる。
そこで、本考案では、コーナー３８にコーナーパッド（図１、符号２６）を被せることで、窪みの発生を防止するようにした。
【００３７】
次に、前ポケット１６の構造を、図５に基づいて説明する。
図５に示すように、前ポケット１６は、表皮３２と、ＥＶＡ樹脂層３１と、例えば３枚のアラミド繊維布４１と、内布３３とを積層してなる。
銃弾４２は、表皮３２は容易に貫通するが、１枚目のアラミド繊維布４１で減速され、２枚目のアラミド繊維布４１で更に減速され、３枚目のアラミド繊維布４１で止まることが期待される。
【００３８】
よって、利用者が不測の事態に遭遇したときに、スーツケース１０の背後に隠れることで銃撃等に対処できる。また、地震の際などに、頭に載せることで落下物等に対処できる。よって、スーツケース１０の役割を拡張することができ、スーツケース１０の付加価値を高めることができる。
【００３９】
アラミド繊維布４１は極めて高価であるため、必要性に応じて積層枚数を決定する。
スーツケース１０を製造し提供する提供者は、アラミド繊維布４１の枚数を変更した前ポケット１６を準備する。すなわち、アラミド繊維布４１が３枚の前ポケット１６、アラミド繊維布４１が２枚の前ポケット１６、アラミド繊維布４１が１枚の前ポケット１６、そしてアラミド繊維布４１無しの前ポケット１６を準備する。そして、利用者の要求に応じて、図１に示すカバー１３に縫製により、選択した前ポケット１６を取付ければよい。
【００４０】
すなわち、ケース本体１２とカバー１３は、表皮３２、ＥＶＡ樹脂層３１及び内布３３で汎用品として量産しておく。前ポケット１６は、アラミド繊維布４１の有無、及び有る場合は枚数に差を付けたものをカバー１３に取付けることにより、仕様が異なる複数のモデルのスーツケース１０を容易に提供することができる。
【００４１】
図２に示したように、金属ネット３５をＥＶＡ樹脂層３１に埋設することが望ましい。しかし、埋設が困難な場合には、図６に示す構造にしてもよい。
図６に示すように、金属ネット３５は、ＥＶＡ樹脂層３１の内面に配置する。金属ネット３５は、内布３３で覆われるため、スーツケース１０内から見ても露出することはない。
【００４２】
次に、本考案に係るスーツケース１０の補強構造を、図７に基づいて説明する。
図７（透視図）に示すように、ケース本体１２の開口近傍に金属製ワイヤ４４を埋設し、ケース本体１２の開口を補強することが望まれる。同様に、カバー１３の開口近傍に金属製ワイヤ４５を埋設し、カバー１３の開口を補強することが望まれる。
ケース本体１２及びケース１３は、ＥＶＡ樹脂層３１を主要素とするため、開口の強度不足が懸念されるが、金属製ワイヤ４４、４５を埋設することで、その懸念が払拭される。
【００４３】
また、カバー１３のコーナーを通るようにして、カバー１３のコーナーに、カーボンファイバーフレーム４６を埋設する。カーボンファイバーフレーム４６は、上辺と左右辺からなる門型フレーム、又は上辺と左右辺と底辺からなる口の字型フレームが好ましい。
【００４４】
カーボンファイバーフレーム４６は、金属製ワイヤ４４に比較して、高価ではあるが、復元力が大きい。そのため、コーナーパッド２６に外力が加わっても、外力が除かれると、カーボンファイバーフレーム４６により、コーナーの変形が解消される。すなわち、カバー１３の耐衝撃性を高めることができる。
【００４５】
さらには、前ポケット１６に外力が加わった場合、この外力をカーボンファイバーフレーム４６で支持させることができ、前ポケット１６が過剰に、スーツケース１０内に侵入することを防止できる。よって、見かけ上ではあるが、カーボンファイバーフレーム４６で前ポケット１６の強度及び剛性を高めることができる。
【００４６】
尚、本考案のスーツケースは、アタッシュケースやトランクであってもよく、ＥＶＡ樹脂層を主要素とするものであればよい。
【産業上の利用可能性】
【００４７】
本考案は、ソフトタイプスーツケースに好適である。
【符号の説明】
【００４８】
１０…スーツケース、１２…ケース本体、１３…カバー、１４…ヒンジ（第１布ヒンジ）、１６…前ポケット、２１…キャスター、２６…コーナーパッド、３１…ＥＶＡ樹脂層、３５…金属ネット、４１…アラミド繊維布、４６…カーボンファイバーフレーム。
【図１】
0003213589.tif 000003
【図２】
0003213589.tif 000004
【図３】
0003213589.tif 000005
【図４】
0003213589.tif 000006
【図５】
0003213589.tif 000007
【図６】
0003213589.tif 000008
【図７】
0003213589.tif 000009